(57)【特許請求の範囲】
【請求項１】
筐体の一方の面に設けられる入力端子とＭ（Ｍは２以上の任意の自然数）個の出力端子と、
前記筐体の他の面に設けられる２個の端子を有するＭ個のコネクタ端子対と、
これらＭ個の各コネクタ端子対のそれぞれに着脱自在に設けられ、２個の端子を接続又は切断するコネクタと、
前記筐体内に設けられ、前記入力端子に入力される信号を増幅する増幅器と、
前記筐体内に設けられ、前記増幅器の出力信号をＭ個の出力系統に分配し、それぞれの前記各コネクタ端子対の一方の端子に供給する分配器と、
前記筐体内に設けられ、前記コネクタ端子対の他方の端子を前記出力端子のそれぞれに接続する手段と具備したことを特徴とする信号系統分配装置。
【請求項２】
前記入力端子及び出力端子を前記筐体の背面に設け、前記コネクタ端子対を前記筐体の前面に設けたことを特徴とする請求項１記載の信号系統分配装置。
【請求項３】
筐体の一方の面に設けられる複数の入力端子及び１つの出力端子と、
前記筐体内に設けられ、前記複数の入力端子に入力される入力信号の中から１つの入力信号を選択的に導出するスイッチ部と、
前記筐体の他の面に設けられ、前記スイッチ部により導出された信号が一方の端子に供給されるコネクタ端子対と、
前記筐体内に設けられ、前記コネクタ端子対の他方の端子を前記出力端子に接続する手段と、
前記コネクタ端子対に着脱自在に設けられ、コネクタ端子対を接続又は切断するコネクタとを具備したことを特徴とする信号系統切替装置。
【請求項４】
前記入力端子及び出力端子を筐体の背面に設け、前記コネクタ端子対を前記筐体の前面に設けたことを特徴とする請求項３記載の信号系統切替装置。
【発明の詳細な説明】
【０００１】
【発明の属する技術分野】
この発明は、１つの信号系統を複数の信号系統に分配する信号系統分配装置及び複数の接続機器を選択的に交換接続する信号系統切替装置に関する。
【０００２】
【従来の技術】
近時、例えば放送局にあっては、各編集室でスタジオ機器やＳＮＧ(Satellite News Gathering）機器などの多くの機器を取り扱っている。この場合、通信機器を接続した複数の伝送路を１ヵ所に集中し、１つの伝送路を複数の伝送路に分配する信号系統分配装置が使用される。
【０００３】
この信号系統分配装置は、筐体の一方の面にＮ（Ｎは１以上の任意の自然数）個の入力端子とＭ（Ｍは２以上の任意の自然数）個の出力端子とを露出し、筐体内部にＮ本の入力系統をＭ本の出力系統に分配する増幅部を備えている。
【０００４】
一方、各編集室では、多くの機器を取り扱う場合に、通信機器を接続した複数の伝送路を１ヵ所に集中し、選択的に交換接続する信号系統切替装置も使用されている。この信号系統切替装置は、筐体の一方の面にＮ（Ｎは２以上の任意の自然数）個の入力端子と、Ｍ（Ｍは２以上の任意の自然数）個の出力端子とを露出し、筐体内部にＭ本の出力系統それぞれとＮ本の入力系統のうち２系統とを選択的に切替接続する最大Ｍ個のスイッチ部を備えている。
【０００５】
しかしながら、上記のような従来の信号系統分配装置及び信号系統切替装置では、Ｎ個の入力端子とＭ個の出力端子とが筐体の１面にのみ設けられているため、入力系統と出力系統とを識別することが困難となる。また、調整作業や不具合調査等の面からも入力系統と出力系統とを識別するのが困難であるため、迅速に対処できないという問題がある。さらに、最大入力端子数及び最大出力端子数も予め決められているため、例えばスタジオ機器の追加や変更に柔軟に対応することができないという問題もある。これを解決するためには、新たに入力端子及び出力端子を設ける必要があるが、この場合、入力系統と出力系統とが非常に煩雑してしまうことになる。
【０００６】
【発明が解決しようとする課題】
以上のように、従来の信号系統分配装置及び信号系統切替装置では、入力端子と出力端子とが筐体の１面にのみ設けられているため、入力系統と出力系統とを識別することが困難となり、また、調整作業や不具合調査等に迅速に対処できないという問題を有している。さらに、最大入力端子数及び最大出力端子数も予め決められているため、例えばスタジオ機器の追加や変更に柔軟に対応することができないという問題も有している。
【０００７】
そこで、この発明の目的は、筐体内部の入力系統及び出力系統の区別が容易となり、また、調整作業や不具合調査等に迅速に対処でき、通信機器の追加や変更にも柔軟に対応可能な信号系統分配装置及び信号系統切替装置を提供することにある。
【０００８】
【課題を解決するための手段】
この発明に係る信号系統分配装置は、筐体の一方の面にＮ（Ｎは１以上の任意の自然数）個の入力端子とＭ（Ｍは２以上の任意の自然数）個の出力端子とを露出し、当該筐体内部にＮ本のうちの１本当たりの入力系統をＭ本のうちの２本以上の出力系統に分配する分配部及び系統分配に必要な増幅部を備える信号系統分配装置において、筐体の端子露出面とは別の面にＭ本の出力系統をそれぞれ露出させる出力系統中継部を形成するようにしたものである。
【０００９】
この構成によれば、筐体の端子露出面とは別の面にＭ本の出力系統がそれぞれ露出されるので、例えば運用者は、出力系統中継部を見て各出力系統を区別することが容易となり、また、装置の調整作業や不具合調査等を行なう場合にも、この出力系統中継部に測定器等を当てて迅速に調べることが可能となる。したがって、障害発生にも迅速に対処できるようになる。
【００１０】
また、出力系統中継部には、Ｍ本の出力系統にそれぞれ対応し、取り外しもしくは差し込みを行なうことで出力系統を選択的に切断もしくは接続するＭ個のコネクタが設けられているため、例えば通信機器を追加もしくは変更したい場合に、コネクタを取り外して新たな通信機器を接続したり、また接続中の通信機器を他の通信機器と交換することも可能である。
【００１１】
また、この発明に係る信号系統切替装置は、筐体の一方の面にＮ（Ｎは２以上の任意の自然数）個の入力端子と、Ｍ（Ｍは２以上の任意の自然数）個の出力端子とを露出し、当該筐体内部にＭ本の出力系統それぞれとＮ本の入力系統のうち２系統とを選択的に切替接続する最大Ｍ個のスイッチ部を備える信号系統切替装置において、筐体の端子露出面とは別の面にＭ本の出力系統をそれぞれ露出させる出力系統中継部を形成するようにしたものである。
【００１２】
この構成によれば、筐体の端子露出面とは別の面にＭ本の出力系統がそれぞれ露出されるので、上記信号系統分配装置と同様に、運用者は、出力系統中継部を見てスイッチ部により切り替えられた各出力系統を区別することが容易となり、また、装置の調整作業や不具合調査等を行なう場合にも、迅速に対処できる。また、出力系統中継部には、Ｍ本の出力系統にそれぞれ対応し、取り外しもしくは差し込みを行なうことで出力系統を選択的に切断もしくは接続を行なうＭ個のコネクタが設けられているため、入力信号の追加や変更にも柔軟に対応できる。
【００１３】
さらに、筐体内部に設けられたＭ個のスイッチ部をそれぞれリモート制御するインタフェースを有しているので、これを使用することでオペレータは１台のメインコンピュータで容易に操作することができ非常に便利となる。
【００１４】
【発明の実施の形態】
以下、この発明の実施形態について図面を参照して詳細に説明する。
【００１５】
（第１の実施形態）
この発明に係る第１の実施形態として、信号系統分配装置について説明する。
図１は、第１の実施形態の信号系統分配装置を上から見て示した平面図である。また、図２は、この第１の実施形態の端子露出面を示した平面図であり、図３は、この第１の実施形態のコネクタ露出面を示した平面図であり、図４は第１の実施形態のコネクタを横から見て示した平面図である。
【００１６】
図１において、符号１００は信号系統分配装置の筐体であり、その背面側となる端子露出面１０１に図２に示すように２つの入力端子ＩＮ１，ＩＮ２と、出力端子ＯＵＴ１−１〜１−４，ＯＵＴ２−１〜２−４とが設けられている。また、筐体１００の前面側となるコネクタ露出面１０２には、図３に示す如く、各出力端子ＯＵＴ１−１〜１−４，ＯＵＴ２−１〜２−４に対応する数のコネクタ１１−１〜１１−４，１２−１〜１２−４が設けられている。これらコネクタ１１−１〜１１−４，１２−１〜１２−４は、図４に示す如くそれぞれ略コ字型に形成されており（図４ではコネクタ１１−１を代表して図示）、取り外しもしくは差し込み可能となっており、この取り外しもしくは差し込みが行なわれることで各入力端子ＩＮ１，ＩＮ２、出力端子ＯＵＴ１−１〜１−４，ＯＵＴ２−１〜２−４にそれぞれ対応する信号系統を選択的に切断もしくは接続することができる。
【００１７】
次に、上記筐体１００内部について図５を参照して説明する。
【００１８】
すなわち、入力端子ＩＮ１に入力された信号は、スイッチ１０１ａもしくはコンセント１０１ｂにより内部の電源が投入された状態で、増幅器１１１でレベル増幅され、分配器１１２で４系統に分配され、以後、各コネクタ１１−１〜１１−４をそれぞれ中継して各出力端子ＯＵＴ１−１〜１−４から取り出される。また、入力端子ＩＮ２に入力された信号も同様に、増幅器１２１でレベル増幅され、分配器１２２で４系統に分配され、以後、各コネクタ１２−１〜１２−４をそれぞれ中継して各出力端子ＯＵＴ２−１〜２−４から取り出される。
【００１９】
上記増幅器１１１，１２１は、それぞれ１つの入力系統を４つの出力系統に分配するために、分配器１１２，１２２で分配された信号のロスを補正するためのものである。
【００２０】
上記構成において、以下に放送局における編集室に適用した場合を例にして、その動作を説明する。
【００２１】
まず、信号系統分配装置の筐体１００は、編集室内の適当な箇所に配置され、そこから各ケーブルを介して編集室内で必要なモニタや通信機器が取り付けられる。例えば、編集室では、ＳＮＧ受信信号（１ＧＨｚ帯）をケーブルを介して入力端子ＩＮ１に入力する。この信号系統分配装置では、ＳＮＧ受信信号に応じたレベル増幅を増幅器１１１で行ない、分配器１１２により同一レベルの４つの信号に分配して出力端子ＯＵＴ１−１〜１−４に接続されたモニタや通信機器に送る。
【００２２】
上記のような環境において、出力端子ＯＵＴ１−１に接続された通信機器を他の通信機器に変更する場合、従来は、運用者側で出力端子ＯＵＴ１−１〜１−４を識別して出力端子ＯＵＴ１−１に接続されたケーブルを他の通信機器のケーブルに変更するようにしていたが、この実施形態の場合、出力端子ＯＵＴ１−１に対応するコネクタ１１−１を取り外して、端子Ａ側に他の通信機器を接続し、端子Ｂ側を終端することで簡単に変更が行われる。特に、端子露出面１０１が壁側に位置していた時には、大変便利である。
【００２３】
また、ＯＵＴ１−２に接続された通信機器に故障が生じた場合にも、対応するコネクタ１１−２を取り外して測定器を端子Ａ，Ｂに接続すれば、故障の原因を即時に発見することができ、このため、迅速に対処可能となる。また、ＯＵＴ１−２に接続された通信機器のメンテナンスを行なう場合にも、コネクタ１１−２を外して端子Ｂ側にメンテナンス機器を接続するようにすれば、容易にメンテナンスも行なえる。
【００２４】
以上のように上記第１の実施形態によれば、筐体１００の端子露出面１０１とは別のコネクタ露出面１０２に設けられたコネクタ１１−１〜１１−４，１２−１〜１２−４により入力端子ＩＮ１，ＩＮ２に対応する入力系統を出力端子ＯＵＴ１−１〜１−４，ＯＵＴ２−１〜２−４に分配した各出力系統がそれぞれ露出されることになるので、例えば運用者は、をコネクタ１１−１〜１１−４，１２−１〜１２−４見て各出力系統を区別することが容易となり、また、装置の調整作業や不具合調査等を行なう場合にも、コネクタ１１−１〜１１−４，１２−１〜１２−４を取り外して測定器等を接続することにより迅速に調べることが可能となる。したがって、障害発生やメンテナンス等にも迅速に対処できるようになる。
【００２５】
また、コネクタ１１−１〜１１−４，１２−１〜１２−４は、取り外しもしくは差し込みが行なわれることで対応する出力系統を選択的に切断もしくは接続するので、例えば通信機器を追加もしくは変更したい場合に、コネクタを取り外して新たな通信機器を接続したり、また接続中の通信機器を他の通信機器と交換することも可能である。なお、変更の場合には、コネクタ１１−１〜１１−４，１２−１〜１２−４を取り外してＢ端子側に任意の系統の信号を入力することで、システムレベルでの系統変更が容易に行なえる。
【００２６】
（第２の実施形態）
この発明に係る第２の実施形態として、信号系統切替装置について説明する。
【００２７】
図６は、この発明の第２の実施形態の信号系統切替装置の内部を示す回路ブロック図である。なお、図６に示す信号系統切替装置には、上記第１の実施形態に使用されていた筐体１００と同様の構成であるので、外部についての説明を省略し、内部のみ説明する。
【００２８】
図６において、信号系統切替装置の筐体の端子露出面には、入力端子ＩＮ＃１〜ＩＮ＃１２と、ＯＵＴ＃１〜ＯＵＴ＃６とが設けられている。そして、内部には、ＯＵＴ＃１〜ＯＵＴ＃６に対応する６本の出力系統それぞれと、入力端子ＩＮ＃１〜ＩＮ＃１２に対応する１２本の入力系統のうち２本の系統とを選択的に切替接続する６個のスイッチ部２１１が設けられている。また、各出力系統には、筐体の前面側に自系統を露出するための取り外し及び差込可能なコネクタ２１２が設けられている。なお、図６において、各系統のスイッチ部２１１及びコネクタ２１２は同一であるので、入力端子ＩＮ＃１，ＩＮ＃２の入力系統と出力端子ＯＵＴ＃１の出力系統とを切替接続する例を代表して説明する。
【００２９】
上記構成において、以下に放送局における編集室に適用した場合を例にして、その動作を説明する。なお、出力端子ＯＵＴ＃１には、モニタが接続されている。
【００３０】
まず、信号系統切替装置の入力端子ＩＮ＃１に走行ＳＮＧにおけるＨ（水平）偏波信号を入力し、入力端子ＩＮ＃２にＶ（垂直）偏波信号を入力したとする。運用者は、Ｈ偏波信号をモニタに表示したい場合には、スイッチ部２１１により入力端子ＩＮ＃１を出力端子ＯＵＴ＃１に接続し、入力端子ＩＮ＃２を終端する。また、Ｖ偏波信号をモニタに表示したい場合には、スイッチ部２１１により入力端子ＩＮ＃２を出力端子ＯＵＴ＃１に接続し、入力端子ＩＮ＃１を終端する。
【００３１】
以上のような動作が、各系統で同様に行われる。その際に、各系統のスイッチ部２１１を切り替える必要が生じる。
【００３２】
図７には、各系統のスイッチ部２１１に対する制御手段の例を示している。
【００３３】
すなわち、信号系統切替装置本体２００に各系統毎のＨ偏波信号やＶ偏波信号が入力されると、運用者は、信号系統切替装置本体２００の各系統毎のスイッチ部２１１を切え替える必要が生じる。そこで、この第２の実施形態では、信号系統切替装置本体２００に制御装置３００を接続して、各系統のスイッチ部２１１の切替制御を一度にできるようにしている。この場合、運用者が系統及びＨもしくはＶ偏波を指示するような指示情報を入力端子３０１を介して制御装置３００に与えれば、制御装置３００で自動的に切替制御処理が実行されることになる。なお、制御装置３００としては、例えば汎用性のあるパーソナルコンピュータであってもよいし、遠隔操作用のリモコン受信装置であってもよい。
【００３４】
以上のようにこの第２の実施形態によれば、上記第１の実施形態と同様に、筐体の端子露出面とは別の面にＭ本の出力系統がそれぞれ露出されるので、上記信号系統分配装置と同様に、運用者は、コネクタ２１２を見てスイッチ部２１１により切り替えられた各出力系統を区別することが容易となり、また、装置の調整作業や不具合調査等を行なう場合にも、迅速に対処できる。また、コネクタ２１２は、取り外しもしくは差し込みが行われることで、各出力系統を選択的に切断もしくは接続するので、通信機器の追加や変更にも柔軟に対応できる。
【００３５】
さらに、筐体内部に設けられた各系統のスイッチ部２１１をそれぞれ制御する制御装置３００を信号系統切替装置本体２００に接続するようにしているので、運用者は、１台のパーソナルコンピュータ等で、複数の通信機器の交換接続ができ、非常に便利となる。特に、複数の受信アンテナを持つ基地局には受信信号の切替制御を行なうのに非常に役に立つ。
【００３６】
（その他の実施形態）
この発明は上記各実施形態に限定されるものではない。例えばコネクタ以外にも筐体の前面側に各出力系統をそれぞれ露出させるようなものであってもよい。また、前面以外にも、端子露出面以外であれば各出力系統をそれぞれ露出させるようにしてもよい。
【００３７】
また、上記第１の実施形態では、１つの入力系統を４つの出力系統に分配する例について説明したが、４系統以上に分配するようにしてもよい。また、端子露出面に余裕があれば、入力端子及び出力端子の個数を増やすこともできる。
【００３８】
その他、信号系統分配装置内部の構成や信号系統切替装置内部の構成やコネクタの種類等についても、この発明の要旨を逸脱しない範囲で種々変形して実施できる。
【００３９】
【発明の効果】
以上詳述したようにこの発明によれば、筐体内部の入力系統及び出力系統の区別が容易となり、また、調整作業や不具合調査等に迅速に対処でき、通信機器の追加や変更にも柔軟に対応可能な信号系統分配装置及び信号系統切替装置を提供することができる。
【図面の簡単な説明】
【図１】この発明に係る第１の実施形態としての信号系統分配装置を上から見て示した平面図。
【図２】同実施形態の端子露出面を示した平面図。
【図３】同実施形態のコネクタ露出面を示した平面図。
【図４】同実施形態のコネクタを横から見て示した平面図
【図５】同実施形態の筐体内部を示す回路ブロック図。
【図６】この発明の第２の実施形態として信号系統切替装置の内部を示す回路ブロック図。
【図７】同第２の実施形態における制御手段を示すブロック構成図。
【符号の説明】
１１−１〜１１−４，１２−１〜１２−４…コネクタ、
１００…筐体、
１０１…端子露出面、
１０２…コネクタ露出面、
１１１，１２１…増幅器、
１２１，１２２…分配器、
２００…信号系統切替装置本体、
２１１…スイッチ部、
３００…制御装置、
ＩＮ１，ＩＮ２，ＩＮ＃１〜ＩＮ＃１２…入力端子、
ＯＵＴ１−１〜１−４，ＯＵＴ２−１〜２−４…出力端子。
【図１】
0004371492.tif 000002
【図２】
0004371492.tif 000003
【図３】
0004371492.tif 000004
【図４】
0004371492.tif 000005
【図５】
0004371492.tif 000006
【図６】
0004371492.tif 000007
【図７】
0004371492.tif 000008